(57)【特許請求の範囲】
【請求項１】
基部と、
前記基部の上に放射状に立設され、端縁の形状が、少なくとも放射状の中心軸付近の外側においては、周辺から当該中心軸へ向かって盛り上がる形状であり、かつ前記端縁が鋸歯状である複数の板状体と、を備え、
前記複数の板状体が、前記放射状の中心軸付近を避け、かつ互いに間隔をもって前記基部の上に立設されている柑橘類の搾り器。
【請求項２】
前記複数の板状体が、前記放射状の中心軸からある範囲内において、前記基部との間に空隙を有する、請求項１に記載の柑橘類の搾り器。
【請求項３】
前記複数の板状体が立設される前記基部の表面が、前記放射状の中心軸の周りの所定領域において、その周辺よりも後退している、請求項１又は２に記載の柑橘類の搾り器。
【請求項４】
前記放射状の中心軸付近を避けて前記基部の上に放射状に立設され、端縁の形状が、周辺から当該中心軸へ向かって盛り上がる形状であり、かつ滑らかな形状である別の複数の板状体を、さらに備える請求項１から３のいずれかに記載の柑橘類の搾り器。
【請求項５】
前記複数の板状体の前記鋸歯状の部分は、前記放射状の径方向から見た先端が尖っている、請求項１から４のいずれかに記載の柑橘類の搾り器。
【請求項６】
鋸歯状をなす前記複数の板状体の前記端縁の形状が、鋸歯状のピッチに関して３ｍｍから１０ｍｍの範囲であり、鋸歯状の深さに関して３ｍｍから１２ｍｍの範囲である、請求項１から５のいずれかに記載の柑橘類の搾り器。
【請求項７】
前記基部が、人手により把持し、正逆方向に交互に回転させることが可能な形状である、請求項１から６のいずれかに記載の柑橘類の搾り器。
【請求項８】
前記基部を、着脱自在に受け入れることにより前記放射状の中心軸の周りの回転を拘束し、かつ柑橘類の搾り汁を収容可能な容器をなす受け部を、さらに備える、請求項１から７のいずれかに記載の柑橘類の搾り器。
【請求項９】
前記受け部は、指で摘んで、前記放射状の中心軸の周りに正逆方向に回転させることを可能にする摘みを有する、請求項８に記載の柑橘類の搾り器。
【請求項１０】
前記基部には、前記放射状の中心軸から、前記複数の板状体の鋸歯状の端縁の大半部分の直下を占めるある範囲内において、上面と下面とを貫通する開口部が形成されており、
前記複数の板状体が、前記基部の前記開口部の周囲の部分に支持される、請求項８又は９に記載の柑橘類の搾り器。
【請求項１１】
前記複数の板状体の前記放射状の中心軸側の端部を連結する環状の補強部材を、さらに備える、請求項１０に記載の柑橘類の搾り器。
【発明の詳細な説明】
【技術分野】
【０００１】
本発明は、柑橘類の搾り器に関し、特に、大型の柑橘類に対しても、比較的小さな力で無駄なく搾ることを可能にする技術に関する。
【背景技術】
【０００２】
従来、この種の柑橘類の搾り器として、特許文献１に記載のものが知られている。この搾り器は、平板状の基部と、当該基部の上に放射状に、かつ周辺から放射状の中心軸に近づくほど高くなるように立設された板状体と、を有している。半割りに切られた柑橘類の果肉の側から板状体を挿入しつつ、回転させることにより、果汁を搾り取ることが可能となっている。しかし、この従来器具では、板状体を回転させるときに、対象となる柑橘類から強い抵抗を受けることとなり、これに抗して回転させるには大きな力を要するという問題点があった。
【０００３】
本願出願人による特許文献２に開示される搾り器は、この問題を解決するものであった。この絞り器は、把持用基材に複数本の棒材が立設され、その先端部が刃部又は尖部となっているものである。先端部が刃部又は尖部となっているために、柑橘類のじょうのう膜を容易に切断又は破断することができ、過大な力を要することなく、柑橘類を搾ることが可能となっている。しかし、この従来技術では、刃部あるいは尖部が、棒材に形成されているために、例えばグレープフルーツのような大型の柑橘類を搾る用途には、多くの棒材を突設する必要がある。それにより、棒材の総表面積が大きくなり、かつ棒材に挟まれた狭い空隙部分が多くなる。また、グレープフルーツのような大型の柑橘類では、じょうのう膜や果肉は柔らかく、しかも果肉の粒も大きくなる。その結果、搾りの対象である柑橘類のじょうのう膜や果肉が、棒材の表面に多く付着したり、棒材の間に架橋をなすように残ったりする、という問題点があった。
【先行技術文献】
【特許文献】
【０００４】
【特許文献１】フランス国出願公開公報ＦＲ２９０８２７７Ａ１
【特許文献２】特許第5005794号公報
【発明の概要】
【発明が解決しようとする課題】
【０００５】
本発明は上記の問題点に鑑みてなされたもので、大型の柑橘類に対しても、比較的弱い力で、かつ無駄なく果汁を搾り出すことを可能にする柑橘類の搾り器を提供することを目的とする。
【課題を解決するための手段】
【０００６】
上記課題を解決し上記目的を達成するために、本発明のうち第１の態様によるものは、柑橘類の搾り器であって、基部と、複数の板状体とを備える。前記複数の板状体は、前記基部の上に放射状に立設され、端縁の形状が、少なくとも放射状の中心軸付近の外側においては、周辺から当該中心軸へ向かって盛り上がる形状であり、かつ前記端縁が鋸歯状である。
【０００７】
この構成によれば、柑橘類を半割りに切断し、切断面から板状体を果肉に挿入しつつ回転させる、或いは柑橘類の方を回転させることにより、果汁を搾り出すことができる。基部の上に放射状に立設された複数の板状体が、柑橘類の芯が存在する領域である、少なくとも放射状の中心軸付近の外側においては、周辺から放射状の中心軸へ向かって盛り上がる端縁形状をなすので、半割りにされた柑橘類の内部に、板状体を無駄なく進入させることができる。板状体の端縁は鋸歯状であるので、回転にともない柑橘類のじょうのう膜が容易に切断ないし破断され、内部の果汁を搾り出すことができる。すなわち、特許文献１に記載の技術とは異なり、比較的弱い回転の力により、果汁を搾り出すことができる。また、多数の棒材が基部に立設された特許文献２に記載の従来技術とは異なり、大型の柑橘類を搾りの対象とする場合であっても、複数の板状体の表面積は限られており、また、複数の板状体の互いの間の狭い空隙は、存在する場合であっても放射状の中心軸付近に限られている。このため、大型の柑橘類に対しても、じょうのう膜や果肉の残留を少なくして、無駄なく果汁を搾り出すことが可能となる。
【０００８】
基部は手に把持できるものであってもよく、食卓などの台の上に載置ないし固定して使用するものであってもよく、電動式等の回転動力源に接続して使用するものであっても良い。回転は、一方向に回転させるものであっても、正逆方向に交互に回転させるものであってもよい。なお、「複数の板状体」が２枚であるときに、「放射状に立設され」とは、互いに対向するように配置されることを意味する。
【０００９】
本発明のうち第２の態様によるものは、第１の態様による柑橘類の搾り器であって、  前記複数の板状体が、前記放射状の中心軸付近を避けて前記基部の上に立設されているものである。
【００１０】
この構成によれば、グレープフルーツのように果実の中心軸に沿って芯を有する柑橘類に使用する場合に、板状体が芯を避けるので、芯を押すことによる抵抗力を生じることなく、果汁を搾ることが可能となる。また、複数の板状体の間に狭い空隙が形成されないので、じょうのう膜や果肉が板状体の間に残留し難い。
【００１１】
本発明のうち第３の態様によるものは、第１の態様による柑橘類の搾り器であって、前記端縁の形状が、前記放射状の中心軸付近においては、その周辺よりも窪んでいるものである。
【００１２】
この構成によれば、グレープフルーツのように果実の中心軸に沿って芯を有する柑橘類に使用する場合に、芯を押すことによる抵抗力を弱めつつ、果汁を搾ることが可能となる。
【００１３】
本発明のうち第４の態様によるものは、第１から第３のいずれかの態様による柑橘類の搾り器であって、前記複数の板状体が、前記放射状の中心軸からある範囲内において、前記基部との間に空隙を有するものである。
【００１４】
この構成によれば、搾られた果汁を、放射状の板状体により区分けされたままにすることなく、ひとまとまりとなるよう、空隙を通じて集めることができる。
【００１５】
本発明のうち第５の態様によるものは、第２又は第４の態様による柑橘類の搾り器であって、前記複数の板状体が立設される前記基部の表面が、前記放射状の中心軸の周りの所定領域において、その周辺よりも後退しているものである。
この構成によれば、搾られた果汁を、基部の表面が後退した所定領域内に集めることができる。
【００１６】
本発明のうち第６の態様によるものは、第１から第５のいずれかの態様による柑橘類の搾り器であって、別の複数の板状体を、さらに備えるものである。当該別の複数の板状体は、前記放射状の中心軸付近を避けて前記基部の上に放射状に立設され、端縁の形状が、周辺から当該中心軸へ向かって盛り上がる形状であり、かつ滑らかな形状であるものである。
【００１７】
この構成によれば、別の複数の板状体の端縁により、柑橘類の皮の内側表面付近に残り易い果肉をすくい取ることができる。なお、「別の複数の板状体」が２枚であるときに、「放射状に立設され」とは、互いに対向するように配置されることを意味する。
【００１８】
本発明のうち第７の態様によるものは、第１から第６のいずれかの態様による柑橘類の搾り器であって、前記複数の板状体の前記鋸歯状の部分が、前記放射状の径方向から見た先端が尖っているものである。
この構成によれば、柑橘類のじょうのう膜を切断ないし破断し易く、抵抗力がより小さくなる。
【００１９】
本発明のうち第８の態様によるものは、第１から第７のいずれかの態様による柑橘類の搾り器であって、鋸歯状をなす前記複数の板状体の前記端縁の形状が、鋸歯状のピッチに関して３ｍｍから１０ｍｍの範囲であり、鋸歯状の深さに関して３ｍｍから１２ｍｍの範囲であるものである。
【００２０】
この構成によれば、鋸歯状のピッチ及び深さが最適化されているので、大型の柑橘類に使用したときに果肉が柑橘類に残り難く、搾るときの抵抗が一層小さく、かつ鋸歯状の谷部に果肉が詰まり難い。
【００２１】
本発明のうち第９の態様によるものは、第１から第８の何れかの態様による柑橘類の搾り器であって、前記基部が、人手により把持し、正逆方向に交互に回転させることが可能な形状であるものである。
【００２２】
この構成によれば、基部を手に把持することにより、柑橘類を搾ることが可能となる。
【００２３】
本発明のうち第１０の態様によるものは、第１から第９の何れかの態様による柑橘類の搾り器であって、受け部をさらに備えるものである。当該受け部は、前記基部を、着脱自在に受け入れることにより前記放射状の中心軸の周りの回転を拘束し、かつ柑橘類の搾り汁を収容可能な容器をなすものである。
【００２４】
この構成によれば、基部を受け部に装着した状態で、受け部を食卓などの上に載置し、当該受け部を手などにより正逆方向に回転させることにより、柑橘類を搾ることができる。柑橘類から搾り取られる果汁は、容器をなす受け部に溜めおくことが可能である。
【００２５】
本発明のうち第１１の態様によるものは、第１０の態様による柑橘類の搾り器であって、前記受け部が、指で摘んで、前記放射状の中心軸の周りに正逆方向に回転させることを可能にする摘みを有するものである。
【００２６】
この構成によれば、摘みを指で摘むことにより、受け部を正逆方向に回転させることが可能である。
【発明の効果】
【００２７】
以上のように本発明によれば、大型の柑橘類に対しても、比較的弱い力で、かつ無駄なく果汁を搾り出すことを可能にする柑橘類の搾り器が得られる。
【図面の簡単な説明】
【００２８】
【図１】本発明の第１の実施の形態による柑橘類の搾り器の斜視図である。
【図２】図１の絞り器の平面図である。
【図３】図２のＡ−Ａ切断線に沿った絞り器の断面図である。
【図４】本発明の第２の実施の形態による柑橘類の絞り器について、図２のＡ−Ａ切断線に相当する切断線に沿った断面を示す断面図である。
【図５】本発明の第３の実施の形態による柑橘類の搾り器の斜視図であり、搾り対象である柑橘類の断面をも同時に示す。
【図６】本発明の第４の実施の形態による柑橘類の搾り器の斜視図である。
【図７】本発明の第５の実施の形態による柑橘類の搾り器の斜視図である。
【図８】本発明の第６の実施の形態による柑橘類の搾り器について、一部を切除して示す斜視図である。
【図９】本発明の第７の実施の形態による柑橘類の搾り器の斜視図である。
【図１０】本発明の第８の実施の形態による柑橘類の搾り器の図であり、（ａ）は絞り器の本体部を示す斜視図、（ｂ）絞り器の本体部について一部を切除して示す斜視図、（ｃ）は絞り器の部品としての受け部の斜視図である。
【発明を実施するための形態】
【００２９】
図１は、本発明の第１の実施の形態による柑橘類の搾り器（以下、「搾り器」と略記する）の斜視図である。この搾り器１０１は、基部１と複数の板状体３とを有している。基部１は、人手により把持し、正逆方向に交互に回転させることが可能な形状であり、図示の例では円形の平板である。複数の板状体３は、基部１の上主面の上に、放射状に立設されている。図示の例では、複数の板状体３は３枚であり、放射状の中心軸ＣＡ及びその付近において互いに連結している。３枚の板状体３の端縁は、周辺から放射状の中心軸ＣＡへ近づくのに伴い、盛り上がる形状、すなわち高さの変化を緩やかにしつつ高くなる形状であり、しかも鋸歯状に形成されている。基部１及び板状体３は、一例として、樹脂の成形により、一体的に形成される。
【００３０】
図２は、絞り器１０１の平面図である。図示の例では、板状体３の対称軸すなわち放射状の中心軸ＣＡは、基部１の主面の中心に位置している。３枚の板状体３は、対称軸の周りに３回軸対称をなすように、対称軸の周りに互いに等間隔で配置されている。
【００３１】
図３は、図２のＡ−Ａ切断線に沿った絞り器１０１の断面図である。図３に示すように、板状体３の端縁は、周辺から放射状の中心軸ＣＡへ近づくのに伴い、上方に凸となるように盛り上がり、かつ中心軸ＣＡにおいて最も高くなっている。図３の例では、板状体３の端縁は、略円弧状である。
【００３２】
このように構成される搾り器１０１を使用するには、例えば、基部１の周面を一方の手にて把持し、半割に切断された柑橘類を他方の手に把持する。そして、柑橘類の切断面から板状体３を押し込みつつ、搾り器１０１を、例えば正逆両方向に交互に回転させる。柑橘類の方を回転させても良く、双方を互いに反対方向に回転させてもよい。そうすることにより、柑橘類から果汁を搾り出すことができる。板状体３の端縁は鋸歯状に形成されているので、回転にともない柑橘類のじょうのう膜が容易に切断ないし破断され、内部の果汁を搾り出すことができる。また、大型の柑橘類を搾る用途であっても、板状体３の表面積はさほどに大きくはならず、板状体３の互いの間の隙間は、放射状の中心軸ＣＡの付近でのみ、狭くなっている。このため、じょうのう膜や果肉が、板状体３の表面や隙間に残留し難い。すなわち、グレープフルーツのような大型の柑橘類に対しても、比較的弱い力で、かつ無駄なく果汁を搾り出すことが可能である。
【００３３】
鋸歯状をなす板状体３の端縁の形状は、鋸歯状のピッチに関して３ｍｍから１０ｍｍの範囲であることが望ましく、鋸歯状の深さに関して３ｍｍから１２ｍｍの範囲であることが望ましい。ピッチが過度に広いと、削れない果肉が多くなり、逆に過度に狭いと、鋸歯状の谷間に果肉が詰まり易くなる。また、鋸歯状の深さが過度に深いと、同じく鋸歯状の谷部に果肉が残り易くなり、逆に過度に浅いと、搾るときの抵抗が大きくなる。上記の数値範囲は、これらのバランスを図ることができ、望ましい範囲である。
【００３４】
搾り器１０１は、食卓などの台の上に載置ないし固定して使用することも可能である。基部１を回転しないように手にて把持することもできるし、基部１を把持しつつ正逆双方向に交互に回転させることもできる。基部１は、果肉や果汁を溜め置くことができるように、皿のような形状をなしていてもよい。また、基部１の平面輪郭は円形に限られず、把持し易いように異形であってもよく、周面の一部に突起を設けて、指で摘むことのできる摘みとしてもよい。摘みがあると、搾り器１０１を台上に置いて、この摘みを指でつまんだ状態で、基部１を正逆方向に交互に回転させることができる。あるいは、基部１の中心を電動式の回転動力源に連結することにより、搾り器１０１を、電動式搾り器として使用に供することも可能である。
【００３５】
板状体３は３枚である例を示したが、４枚、５枚、６枚、それ以上、あるいは、２枚であってもよい。２枚である場合には、２枚の板状体３は互いに対向するように配置される。図３には、基部１及び板状体３は、いずれも内部に空洞のない中実である例を示したが、内部が中空であってもよい。本明細書では、「板状体」とは、内部が中空であるなど、中実でないものも含める意味で用いる。内部を中空とすることにより、搾り器１０１を軽量なものとすることができる。
【００３６】
搾り器１０１について述べた以上の変形形態や最適数値範囲は、以下に述べる各実施の形態の搾り器についても同様に当てはまる。
【００３７】
図４は、本発明の第２の実施の形態による絞り器の断面図である。この搾り器１０２の平面図は、図２と同様に表される。図４は、図２を搾り器１０２の平面図であると見なしたときのＡ−Ａ切断線に沿った断面図である。搾り器１０２は、板状体５の端縁の形状が、放射状の中心軸ＣＡ付近においては、その周辺よりも窪んでいる。このため、グレープフルーツのように果実の中心軸に沿って芯を有する柑橘類を搾る場合に、芯を押すことにより生じる抵抗力を弱めることができる。
【００３８】
図５は、本発明の第３の実施の形態による搾り器の斜視図であり、搾り対象である半割りにされた柑橘類の断面をも同時に示している。この搾り器１０３では板状体７が、放射状の中心軸ＣＡ付近を避けて基部１の上に立設されている。このため、グレープフルーツのように果実の中心軸に沿って芯１１を有する柑橘類９を搾る場合に、板状体７が芯１１を避けるので、芯１１を押すことによる抵抗力を生じることなく、果汁を搾ることができる。
【００３９】
図６は、本発明の第４の実施の形態による搾り器の斜視図である。この搾り器１０４では、基部１３の上面が、板状体３の放射状の中心軸ＣＡの周りの所定領域において、窪み１５を有している。このため、搾られた果汁や果肉を、窪み１５に集めることができる。窪み１５の部分では、板状体３と基部１３との間に空隙が形成されるので、放射状の板状体３に妨げられることなく、空隙を通じて窪み１５に果汁や果肉を集めることができる。
【００４０】
図７は、本発明の第５の実施の形態による搾り器の斜視図である。この搾り器１０５は、放射状に配置された３枚の板状体１７が、全体であたかもアーチを形成するように、放射状の中心軸ＣＡからある範囲において各板状体１７の下部が切除されている。切除されることにより形成された各板状体１７と基部１との間の空隙を通じて、搾られた果汁や果肉を、基部１の上面の中心付近に集めることができる。
【００４１】
図８は、本発明の第６の実施の形態による搾り器について、一部を切除して示す斜視図である。この搾り器１０６では、基部１９の上面が、凹面をなしている。搾り器１０６は、搾り器１０４（図６）と同様に、本発明の「基部の表面が、放射状の中心軸の周りの所定領域において、その周辺よりも後退している」構成の一具体例に相当する。搾り器１０６においても、搾り器１０４と同様に、搾られた果汁や果肉を、基部１９の上面の中心付近に集めることができる。
【００４２】
図９は、本発明の第７の実施の形態による搾り器の斜視図である。この搾り器１０７では、端縁が鋸歯状である３枚の板状体７に加えて、端縁が滑らかな形状である３枚の別の板状体２１が、基部１の上に放射状に立設されている。板状体２１の端縁は、板状体７と同様に、周辺から放射状の中心軸ＣＡへ向かって盛り上がる形状であり、例えば略円弧状である。放射状の中心軸ＣＡは、２種類の板状体７及び２１の間で同一位置である。図９の例では、２種類の板状体７と２１とが、周方向に沿って交互に、かつ等間隔に配置されている。端縁が滑らかな板状体２１により、柑橘類の皮の内側表面付近に残り易い果肉をすくい取ることができる。すなわち、搾りの対象とされる柑橘類から、果肉を無駄なく取り出すことができる。抵抗力を過大にすることなく、この機能を効果的に発揮するために、放射状の中心軸ＣＡから径方向に等距離の位置において、板状体２１の端縁の高さは、板状体７の鋸歯状端縁の山の高さに略等しくなるように設定するのが望ましい。
【００４３】
図１０は、本発明の第８の実施の形態による搾り器の各部の斜視図である。この搾り器１０９は、単独でも搾り器として機能し得る本体部１０８と、この本体部１０８を着脱可能に収容する受け部３１とを有している。本体部１０８は、基部２３、６枚の板状体２７及び補強部材２９を有している。基部２３は、外側輪郭が異形の平板体であり、中央部に両主面を貫通する開口部２５が形成されている。６枚の板状体２７は、基部２３の上に、放射状にかつ互いに等間隔に立設されている。各板状体２７の端縁は、周辺から放射状の中心軸ＣＡへ向かって盛り上がる形状であり、かつ鋸歯状である。鋸歯状部は、谷から山へ向かって厚さが薄くなっており、しかも放射状の径方向から見ても山の頂部が尖っている。すなわち、それぞれの山は、略四角錘体をなしている。鋸歯状部におけるこのような形状は、柑橘類のじょうのう膜を切断ないし破断し易く、抵抗力がより小さくなるので、一層好ましい。板状体２７は、柑橘類の芯を逃がすように、板状体７（図５）と同様に、放射状の中心軸ＣＡ付近を避けて立設されている。
【００４４】
基部２３は中央部に広い開口部２５を有することから、板状体２７は、開口部２５の周囲の環状の部分に連結されている。このため、板状体２７は、基部２３の環状部から開口部２５の上まで延びる片持梁（かたもちばり；カンチレバー）の構造をなす。片持梁の強度を高めるために、６枚の板状体２７の放射状の中心軸ＣＡ側の端部は、環状の補強部材２９により互いに連結されている。補強部材２９は環状であるから、柑橘類の芯と干渉しない。板状体２７の強度が十分であれば、補強部材２９は要しない。なお、図１０（ｂ）は、本体部１０８の構造をより明瞭に示すために、本体部１０８の一部を切除して表している。
【００４５】
基部２３、板状体２７及び補強部材２９は、一例として、樹脂の成形により、一体的に形成される。基部２３、板状体２７及び補強部材２９は、いずれも内部に空洞のない中実であってもよく、内部が中空であるなど、中実でないものであってもよい。
【００４６】
受け部３１は、上面に開口し、上面から後退した後退部３３を有している。後退部３３の内周面の形状は、本体部１０８の基部２３の外周面の形状に対応している。それにより、受け部３１は、基部２３を後退部３３に受け入れるとともに、基部２３の回転を拘束する。受け部３１には、外方に突起した摘み３５が形成されている。受け部３１は、例えば樹脂成型により形成される。
【００４７】
搾り器１０９を使用するには、例えば、受け部３１を食卓などの台上に置き、その後退部３３に本体部１０８を装着する。そうして、半切りにした柑橘類を一方の手に持ち、その切断面を下方に向けて、本体部１０８の板状体２７に押し付ける。それと同時に、受け部３１の摘み３５を、他方の手の指で摘んで受け部３１を左右に、すなわち正逆双方向に交互に回転させる。そうすることにより、柑橘類の果汁や果肉を絞り出すことができる。搾られた果汁や果肉は、基部２３の開口部２５を通じて、受け部３１の後退部３３の底に溜まる。搾り出しが完了すると、本体部１０８を受け部３１から取り出す。後退部３３に溜められた果汁や果肉は、受け部３１を傾けることにより、食器や調理器具などへ注ぐことができる。このように、受け部３１は、搾り取られた果汁や果肉を収容する容器としても機能する。図１０の例では、６枚の板状体２７が等間隔に配置されるので、受け部３１を正逆方向に回転させるときの回転幅は、６０度程度あれば足りる。受け部３１が基部２３の回転を拘束するためには、それらの周面の形状は、必ずしも異形でなくてもよく、円形以外の形状であれば足りる。また、互いに係合する凸部と凹部とが、一方と他方とに形成されていてもよい。
【００４８】
図１から図１０を参照しつつ説明した以上の実施の形態は、適宜組み合わせて実施することが可能であることは、当業者に自明である。例えば、搾り器１０７（図９）の基部１の上面に、搾り器１０４（図６）の基部１と同様の窪み１５を形成することも可能である。
【符号の説明】
【００４９】
１、１３、１９、２３  基部
３、５、７、１７、２７  板状体
９  柑橘類
１１  芯
１５  窪み（後退部）
２１  板状体（別の板状体）
２５  開口部（後退部）
３１  受け部
１０１〜１０９  搾り器
１０８  本体部（搾り器）
ＣＡ  放射状の中心軸
【図１】
0005854339.tif 000002
【図２】
0005854339.tif 000003
【図３】
0005854339.tif 000004
【図４】
0005854339.tif 000005
【図５】
0005854339.tif 000006
【図６】
0005854339.tif 000007
【図７】
0005854339.tif 000008
【図８】
0005854339.tif 000009
【図９】
0005854339.tif 000010
【図１０】
0005854339.tif 000011